(57)【要約】【課題】シートのスライド操作時、操作ハンドルを操作したままであってもシートを規定位置で一時停止することができるシートスライド装置を提供する。【解決手段】シートスライド操作時、シートがスライド領域の境界に到達すると、ラッチ４１がプレート４２に接触することにより、シートのスライド操作が一時停止される。シート操作の一時停止後、シートが前後操作されると、その操作過程でラッチ４１が付勢部材４４によって引っ張られることにより、ラッチ４１が解除位置に切り替わる動きをとる。よって、以降のスライド操作において、ラッチ４１がプレート４２を上ることが可能となり、スライド領域の境界を跨いだシートスライド操作の継続が可能となる。【選択図】図９
2017226357.tif 000002
【特許請求の範囲】
【請求項１】
シートを第１スライド領域から第２スライド領域へ操作するとき、シートスライド操作のロック機構を解除する際に操作する操作ハンドルを操作したままであっても、前記第１スライド領域及び前記第２スライド領域の境目である規定位置で前記シートを一時停止させた上で、前記シートの一時停止前のスライド操作を継続させるスライド一時停止機構を備え、
前記スライド一時停止機構は、シートスライド操作時、前記シートが前記規定位置に到達すると、前記シートのアッパーレール側の係合部材をロアレール側の対向部材に接触させることにより、前記操作ハンドルが操作されたままであっても前記シートのスライド操作を一時停止させ、一時停止後に前記シートがスライド操作される過程で前記係合部材を解除位置に切り替えて、前記第１スライド領域から前記第２スライド領域へのシート操作を可能とする
ことを特徴とするシートスライド装置。
【請求項２】
前記係合部材は、前記対向部材に接触すると、当該接触により前記アッパーレール側のストッパ部との係合が外れて、前記解除位置に切り替り可能となる
請求項１に記載のシートスライド装置。
【請求項３】
前記係合部材は、前記対向部材に接触して前記ストッパ部との係合が外れたとき、付勢部材によって当該ストッパ部から離れる方向に付勢されることにより、前記ストッパ部と係合しない前記解除位置をとる
請求項２に記載のシートスライド装置。
【請求項４】
前記スライド一時停止機構は、前記シートを前記第１スライド領域から前記第２スライド領域へ操作するのに伴い、前記解除位置をとった前記係合部材を、前記対向部材に設けられた第１案内部により案内して当該対向部材の上面に上らせることで、前記第１スライド領域から前記第２スライド領域へのシート操作を許容する
請求項１〜３のうちいずれか一項に記載のシートスライド装置。
【請求項５】
前記スライド一時停止機構は、前記シートが前記第２スライド領域から前記第１スライド領域に移動されるとき、前記シートのスライド操作を一時停止させない
請求項１〜４のうちいずれか一項に記載のシートスライド装置。
【請求項６】
前記スライド一時停止機構は、前記シートを前記第２スライド領域から前記第１スライド領域へ操作するのに伴い、前記対向部材に設けられた第１案内部から前記対向部材の上面に上った前記係合部材を、前記対向部材に設けられた第２案内部により案内して当該対向部材の下に落とすことで、前記第２スライド領域から前記第１スライド領域へのシート操作を許容する
請求項５に記載のシートスライド装置。
【発明の詳細な説明】
【技術分野】
【０００１】
本発明は、シートをスライド移動させるシートスライド装置に関する。
【背景技術】
【０００２】
従来、車内に設置されたシート等をスライド移動させるシートスライド装置が周知である（特許文献１等参照）。この種のシートスライド装置においては、あるスライド領域から別のスライド領域へスライド操作するとき、カム等の部材によってスライド移動を規制することにより、スライド領域の境界でシートを一時停止させている。
【先行技術文献】
【特許文献】
【０００３】
【特許文献１】特開２０１３−５２８２０号公報
【発明の概要】
【発明が解決しようとする課題】
【０００４】
ところで、シートをスライド操作するときは、シートの操作ハンドルを操作してシートのロック機構を解除した状態で、シートをスライド操作することとなる。しかし、特許文献１は、操作ハンドルとカムとが連動する構造をとっているので、操作ハンドルを操作したままだとカムが解除されたままとなる。このため、スライド領域の境界でシートを一時停止することができず、シートがスライド領域の境界をそのまま通過してしまう問題があった。
【０００５】
本発明の目的は、シートのスライド操作時、操作ハンドルを操作したままであってもシートを規定位置で一時停止することができるシートスライド装置を提供することにある。
【課題を解決するための手段】
【０００６】
前記問題点を解決するシートスライド装置は、シートを第１スライド領域から第２スライド領域へ操作するとき、シートスライド操作のロック機構を解除する際に操作する操作ハンドルを操作したままであっても、前記第１スライド領域及び前記第２スライド領域の境目である規定位置で前記シートを一時停止させた上で、前記シートの一時停止前のスライド操作を継続させるスライド一時停止機構を備え、前記スライド一時停止機構は、シートスライド操作時、前記シートが前記規定位置に到達すると、前記シートのアッパーレール側の係合部材をロアレール側の対向部材に接触させることにより、前記操作ハンドルが操作されたままであっても前記シートのスライド操作を一時停止させ、一時停止後に前記シートがスライド操作される過程で前記係合部材を解除位置に切り替えて、前記第１スライド領域から前記第２スライド領域へのシート操作を可能とする。
【０００７】
本構成によれば、シートスライド操作時、シートが第１スライド領域と第２スライド領域との境界である規定位置に到達したとき、操作ハンドルが操作されたままであってもアッパーレール側の係合部材がロアレール側の対向部材に接触することにより、スライド操作が一時停止される。シートスライド操作の一時停止後、シートがスライド操作されると、その操作過程で係合部材が解除位置に切り替わる動きをとり、以降のスライド操作が許可される。よって、シートのスライド操作時、操作ハンドルを操作したままであってもシートを規定位置で一時停止することが可能となる。
【０００８】
前記シートスライド装置において、前記係合部材は、前記対向部材に接触すると、当該接触により前記アッパーレール側のストッパ部との係合が外れて、前記解除位置に切り替り可能となることが好ましい。この構成によれば、係合部材が対向部材に接触したとき、その接触を通じて係合部材とストッパ部との係合を外すので、係合部材が対向部材に接触する負荷を利用して、係合部材をより確実にストッパ部から離脱させることが可能となる。
【０００９】
前記シートスライド装置において、前記係合部材は、前記対向部材に接触して前記ストッパ部との係合が外れたとき、付勢部材によって当該ストッパ部から離れる方向に付勢されることにより、前記ストッパ部と係合しない前記解除位置をとることが好ましい。この構成によれば、係合部材の解除位置が初期位置とは別の位置に設定されていても、係合部材が対向部材に接触した後の一連の動きを通じて、係合部材を解除位置にスムーズに切り替えることが可能となる。
【００１０】
前記シートスライド装置において、前記スライド一時停止機構は、前記シートを前記第１スライド領域から前記第２スライド領域へ操作するのに伴い、前記解除位置をとった前記係合部材を、前記対向部材に設けられた第１案内部により案内して当該対向部材の上面に上らせることで、前記第１スライド領域から前記第２スライド領域へのシート操作を許容することが好ましい。この構成によれば、対向部材に接触してシートを一時停止させた係合部材を、対向部材の第１案内部を通じて対向部材の上面に上らせるという簡素な構造により、一時停止後のシートスライド操作を継続させることが可能となる。
【００１１】
前記シートスライド装置において、前記スライド一時停止機構は、前記シートが前記第２スライド領域から前記第１スライド領域に移動されるとき、前記シートのスライド操作を一時停止させないことが好ましい。この構成によれば、シートを第２スライド領域から第１スライド領域へスライド操作するときは、シートを一時停止させることなく、そのままスムーズに元のシート位置に戻すことが可能となる。
【００１２】
前記シートスライド装置において、前記スライド一時停止機構は、前記シートを前記第２スライド領域から前記第１スライド領域へ操作するのに伴い、前記対向部材に設けられた第１案内部から前記対向部材の上面に上った前記係合部材を、前記対向部材に設けられた第２案内部により案内して当該対向部材の下に落とすことで、前記第２スライド領域から前記第１スライド領域へのシート操作を許容することが好ましい。この構成によれば、対向部材上に乗った係合部材を、対向部材の第２案内部を通じて対向部材の下に落とすという簡素な構造により、係合部材を元の初期状態に戻すことが可能となる。
【発明の効果】
【００１３】
本発明によれば、シートのスライド操作時、操作ハンドルを操作したままであってもシートを規定位置で一時停止することができる。
【図面の簡単な説明】
【００１４】
【図１】一実施形態のシートの側面図。
【図２】ロングスライドレール式のシートの概要図。
【図３】シートのレール機構の分解斜視図。
【図４】シートのロック機構の作動を示す断面図。
【図５】スライド一時停止機構を車両後方から見た斜視図。
【図６】スライド一時停止機構を車両前方から見た斜視図。
【図７】第１案内部及び第２案内部の構造上の条件を示す説明図。
【図８】シートが第１スライド領域に位置するときの動作状態を示し、（ａ）が側面図、（ｂ）が背面図。
【図９】ラッチがプレートに接触したときの動作状態を示す側面図。
【図１０】ラッチがストッパ部から離脱したときの動作状態を示す背面図。
【図１１】シートの一時停止後にシートが前方に操作されたときの動作状態を示し、（ａ）が側面図、（ｂ）が背面図。
【図１２】ラッチがプレートを上るときの動作状態を示し、（ａ）が側面図、（ｂ）が平面図。
【図１３】カムがプレートを上り切ってシートが第２スライド領域に移動したときの側面図。
【図１４】シートが第２スライド領域で前方にスライド操作されたときの動作状態を示し、（ａ）が側面図、（ｂ）が平面図。
【図１５】ラッチがプレートから下に落ちたときの動作状態を示し、（ａ）が側面図、（ｂ）が背面図。
【図１６】（ａ）〜（ｃ）はラッチがプレートから落ちてからシートを前方に操作するときの動作状態を示す側面図。
【発明を実施するための形態】
【００１５】
以下、シートスライド装置の一実施形態を図１〜図１６に従って説明する。
図１に示すように、車内に搭載されたシート１は、シート１を車体前後方向にスライド操作可能とするシートスライド装置２を介して車両フロア３に取り付けられている。シートスライド装置２は、車両フロア３に固定されたロアレール４と、シート１の裏面に取り付けられたアッパーレール５とを備える。ロアレール４及びアッパーレール５は、シート幅方向に並ぶように一対配置されるとともに、シート前後方向に延在するように設けられている。このように、シート１のレールは、ロアレール４及びアッパーレール５の組がレール幅方向に並ぶように一対設けられる。なお、本例の図１においては、ロアレール４及びアッパーレール５の一対の組のうち、片方のみを図示する。
【００１６】
図２に示すように、本例のシートスライド装置２は、シート１を長い距離移動させるロングスライドレール式となっている。すなわち、シートスライド装置２は、例えば運転席のシート１を所定のスライド領域（運転席スライド領域である第１スライド領域Ｅａと記す）から他のスライド領域（右後部座席スライド領域である第２スライド領域Ｅｂと記す）へスライド操作を可能とする。
【００１７】
図３に示すように、ロアレール４は、車両フロア３に配される底壁部１０と、底壁部１０の幅方向両端から上方に立設された一対の側壁部１１と、各々の側壁部１１の上端から下方に折り返されたフランジ部１２とを備える。アッパーレール５は、下側が開口したレール本体１３と、レール本体１３の両端から上方に折り返されたフランジ部１４とを備える。アッパーレール５は、レール本体１３がロアレール４の一対のフランジ部１２の間に通されるとともに、フランジ部１４がフランジ部１２の内側に通されるようにして、ロアレール４に相対移動可能に組み付けられる。
【００１８】
図３及び図４に示すように、ロアレール４及びアッパーレール５の間には、シート１のスライド操作、すなわちロアレール４に対するアッパーレール５のスライド移動を規制するロック機構１７が設けられている。ロック機構１７は、アッパーレール５に組み付けられてロアレール４に係止可能なロックレバー１８を備える。ロックレバー１８は、アッパーレール５のレール本体１３の側壁１３ａに固定された一対の支持ブラケット１９，２０に、軸２１回りに回動可能に取り付けられている。アッパーレール５のレール本体１３において一対の側壁には、ロックレバー１８のレバー本体２２を通す透孔２３，２４が形成されている。また、ロックレバー１８の先端に設けられた複数の爪部２５は、アッパーレール５のレール本体１３に設けられた挿通孔２６からアッパーレール５の外側に引き出されている。ロックレバー１８には、ロックレバー１８をロック方向（図４の矢印Ａ１方向）に付勢する付勢部材２７が取り付けられている。アッパーレール５の幅方向両側には、スライド移動を案内する車輪２８が設けられている。
【００１９】
ロアレール４には、ロックレバー１８の爪部２５が係止可能な複数のロック孔２９が、レール軸方向に沿って等間隔に複数並び配置されている。ロックレバー１８の爪部２５は、アッパーレール５に設けられた挿通孔２６を通じてロアレール４のロック孔２９に係止され、先端がアッパーレール５に複数形成された透孔３０に通される。よって、ロック機構１７は、ロックレバー１８の爪部２５がロック孔２９（透孔３０含む）に係止したロック状態と、ロックレバー１８の爪部２５がロック孔２９から離脱したアンロック状態との２状態をとる。
【００２０】
シート１は、ロック機構１７を解除するときに操作する操作ハンドル３３を備える。操作ハンドル３３には、ロックレバー１８に至るロック解除部３４が設定されている。これにより、操作ハンドル３３が上方に操作（引き上げ操作）されると、操作ハンドル３３のロック解除部３４がロックレバー１８の入力部３５を押し、ロックレバー１８がアンロック方向（図４の矢印Ａ２方向）に回動する。すなわち、操作ハンドル３３の操作を通じてロック機構１７がロック状態からアンロック状態に解除され、シート１のスライド操作が可能にされる。
【００２１】
図５〜図７に示すように、シートスライド装置２は、シートスライド操作時にシート１を規定位置Ｐ１（第１スライド領域Ｅａ及び第２スライド領域Ｅｂの境界）で一時停止させるスライド一時停止機構３８を備える。本例のスライド一時停止機構３８は、操作ハンドル３３を操作したままであっても、シート１を規定位置Ｐ１で一時停止させることを実現する。シート１を一時停止させる規定位置Ｐ１は、例えば第１スライド領域Ｅａ及び第２スライド領域Ｅｂの境界であることが好ましい。そして、シート１の一時停止後は、シート１を前後操作させることにより、その後のスライド操作を継続させる。
【００２２】
スライド一時停止機構３８は、シートスライド操作時にシート１を規定位置Ｐ１で止めるラッチ４１を備える。このように、本例のスライド一時停止機構３８は、操作ハンドル３３の操作（引き上げ操作）によりロック機構１７を解除してシート１をスライド操作しているとき、シート１が規定位置Ｐ１に到達すると、アッパーレール５側のラッチ４１をロアレール４側のプレート４２に接触させることにより、操作ハンドル３３が操作されたままであってもシート１を一時停止させる。スライド一時停止機構３８は、一時停止させたラッチ４１をそれまでの初期位置から解除位置に切り替えることで、第１スライド領域Ｅａから第２スライド領域Ｅｂへのシート操作を可能とする。なお、ラッチ４１が係合部材に相当し、プレート４２が対向部材に相当する。
【００２３】
スライド一時停止機構３８は、前述のラッチ４１と、ラッチ４１を初期位置で位置決めするストッパ部４３と、ラッチ４１を解除側に付勢する付勢部材４４とを備える。ラッチ４１は、アッパーレール５においてレール幅方向（図５〜図７のＹ軸方向）に延びるように形成された軸部４５に軸Ｌ１回り（図５及び図６の矢印Ｂ方向）に沿って回動可能、及び軸部４５の軸方向（図５及び図６のＹ軸方向）に摺動可能に軸支されている。このように、ラッチ４１は、軸Ｌ１回りに回動する回動式であるとともに、軸Ｌ１に沿って直線移動するにスライド式の両方を兼ねる。ラッチ４１の高さ方向の一端には、ラッチ４１の回動方向に対して交差する方向に延びるシャフト４６に係止する係止爪４７が形成されている。係止爪４７は、ラッチ４１にスリットを設けることで形成される。ラッチ４１の高さ方向の他端には、ロアレール４のプレート４２と接触可能な突起４８が形成されている。
【００２４】
ストッパ部４３は、アッパーレール５においてレール幅方向に延びるように形成されたシャフト４６の途中に取り付け固定されている。本例のストッパ部４３は、例えば円環状をなし、ラッチ４１を外周面（外壁面）で支持してラッチ４１を初期位置で保持する。
【００２５】
付勢部材４４は、例えばコイルばねからなる。付勢部材４４は、一端がラッチ４１に取り付けられ、他端が軸部４５の支持片４９に取り付けられている。付勢部材４４は、初期位置のラッチ４１を解除方向に引き込んで、初期位置のラッチ４１を解除位置に位置させる。
【００２６】
スライド一時停止機構３８（プレート４２）は、ラッチ４１の突起４８が接触する規制部５２と、シート１が第１スライド領域Ｅａから第２スライド領域Ｅｂに移動する際のラッチ４１の通路となる第１案内部５３と、シート１が第２スライド領域Ｅｂから第１スライド領域Ｅａに移動する際のラッチ４１の通路となる第２案内部５４とを備える。規制部５２、第１案内部５３及び第２案内部５４は、ロアレール４のプレート４２に形成されている。
【００２７】
第１案内部５３は、シート１の高さ方向に立つ斜面状の壁部５３ａと、斜面状の底部５３ｂとを備える。第２案内部５４は、シート１の高さ方向に立つ壁部からなる。規制部５２は、プレート４２のレール軸方向の端面からなる。規制部５２には、初期位置のラッチ４１が意図せず解除位置に移動してしまうことを抑制する突部５２ａが設けられている。規制部５２の隣位置には、シート１が第２スライド領域Ｅｂから第１スライド領域Ｅａに切り替わるときにラッチ４１が落ち込む段部５５が設けられている。
【００２８】
図７に示すように、第１案内部５３は、シート１が第１スライド領域Ｅａから第２スライド領域Ｅｂに向かう方向に沿って勾配が付いた形状に形成されている。第２案内部５４は、シート１が第２スライド領域Ｅｂから第１スライド領域Ｅａに向かう方向に沿って勾配が付いた形状に形成されている。第２案内部５４の開始点５６は、付勢部材４４の中立点、すなわち付勢部材４４の付勢力がかかっていないときにラッチ４１が配置される位置よりも第１案内部５３側に位置するように設定されている。
【００２９】
次に、図８〜図１６を用いて、シートスライド装置２の作用及び効果を説明する。
［シート１の後方へのスライド操作］
図８（ａ），（ｂ）に示すように、シート１が第１スライド領域Ｅａに位置するとき、ラッチ４１は、軸Ｌ１回りにおいて戻り方向（図８（ａ）の矢印Ｂ１方向）において最大量回った状態をとっており、ストッパ部４３を支持するシャフト４６に係止爪４７が引っ掛かった初期位置をとっている。この係止状態は、付勢部材４４の付勢力によって維持される。
【００３０】
図９に示すように、操作ハンドル３３が操作（引き上げ操作）されてシート１が後方にスライド操作されると、シート１の位置が第１スライド領域Ｅａから第２スライド領域Ｅｂに切り替わる規定位置Ｐ１において、ラッチ４１の突起４８が、プレート４２の規制部５２に接触する。これにより、シート１の後方へのスライド操作が一時停止される。また、ラッチ４１は、付勢部材４４の付勢力に抗して、軸Ｌ１回りにおいてストッパ部４３の解除方向（図９の矢印Ｂ２方向）に回動し、係止爪４７がシャフト４６から離脱する。
【００３１】
図１０に示すように、ラッチ４１の係止爪４７がシャフト４６から離脱したとき、ラッチ４１の先端面がストッパ部４３の外周面に支持され、ラッチ４１がストッパ部４３から離脱した姿勢が維持される。すなわち、ラッチ４１が初期位置においてストッパ部４３で位置規制された状態が解除される。また、突部５２ａによりラッチ４１の解除位置への移動が抑制され、シート１のスライド動作の一時停止も継続される。
【００３２】
図１１（ａ），（ｂ）に示すように、シート１の後方へのスライド操作が一時停止されたとき、ユーザは、操作ハンドル３３を操作しながらシート１を前後にスライド操作する。このとき、ラッチ４１は、突部５２ａにより移動が規制された状態が解除されることにより、付勢部材４４の付勢力によって軸部４５上を解除方向（図１１（ｂ）の矢印Ｃ１方向）にスライド移動する。これにより、ラッチ４１は、ストッパ部４３に係止されない解除位置をとる。
【００３３】
図１２（ａ），（ｂ）に示すように、ラッチ４１が解除位置に切り替えられた後、シート１が後方に再びスライド操作されると、ラッチ４１が第１案内部５３の斜面状の壁部５３ａに案内されながら、第１案内部５３の斜面状の底部５３ｂを上る。すなわち、ラッチ４１が第１案内部５３に移動が案内されて、ストッパ部４３から離れる方向（図１２（ｂ）の矢印Ｃ１方向）に徐々にスライド移動しながら、プレート４２を上る。よって、シート１を第１スライド領域Ｅａから第２スライド領域Ｅｂにスライド操作すること（後方へのシートスライド操作）が許容される。
【００３４】
図１３に示すように、シート１が後方に操作されてラッチ４１が第１案内部５３を上り切った後は、ラッチ４１がプレート４２の上面を摺動する。これにより、ラッチ４１がプレート４２を上り切った後、シート１を第２スライド領域Ｅｂにおいて後方にスライド操作することが可能となる。
【００３５】
［シート１の前方へのスライド操作］
図１４（ａ），（ｂ）に示すように、シート１を第２スライド領域Ｅｂから第１スライド領域Ｅａにスライド操作するとき、操作ハンドル３３を操作（引き上げ操作）しながら、シート１を前方にスライド操作する。このとき、ラッチ４１は、プレート４２の上面を摺動しながら移動して第２案内部５４に至り、第２案内部５４に案内されることにより、付勢部材４４の付勢力に抗して軸部４５上を（図１４（ｂ）の矢印Ｃ２方向）にスライド移動する。
【００３６】
図１５（ａ），（ｂ）に示すように、シート１が更に前方にスライド操作されて、ラッチ４１が第２案内部５４を下り切ると、ラッチ４１はプレート４２の端部の段部５５に落ちる。すなわち、ラッチ４１は、ストッパ部４３に係止する準備状態に入る。
【００３７】
図１６（ａ）に示すように、シート１が更に前方にスライド移動されると、ラッチ４１は、付勢部材４４の付勢力により、軸Ｌ１回りにおいてストッパ部４３の戻り方向（図１６（ａ）の矢印Ｂ１方向）に回動を開始する。そして、図１６（ｂ）から図１６（ｃ）の流れで図示するように、シート１が更に前方にスライド操作されて、ラッチ４１の突起４８が段部５５から離隔すると、ラッチ４１が初期位置に戻る。すなわち、ストッパ部４３が設定された状態に復帰する。
【００３８】
さて、本例の場合、シートスライド操作時、シート１が第１スライド領域Ｅａと第２スライド領域Ｅｂとの境界である規定位置Ｐ１に到達したとき、操作ハンドル３３が操作されたままであってもラッチ４１がプレート４２に接触することにより、スライド操作が一時停止される。シートスライド操作の一時停止後、シート１が前後操作されると、その操作過程でラッチ４１が解除位置に切り替わる動きをとり、以降のスライド操作が許可される。よって、シート１のスライド操作時、操作ハンドル３３を操作したままであってもシート１を規定位置Ｐ１で一時停止することができる。
【００３９】
ラッチ４１は、プレート４２に接触すると、この接触によりストッパ部４３との係合が外れて、解除位置に切り替わり可能となる。よって、ラッチ４１がプレート４２に接触したときの負荷を利用して、ラッチ４１をより確実にストッパ部４３から離脱させることができる。
【００４０】
ラッチ４１は、プレート４２に接触してストッパ部４３の係合が外れたとき、付勢部材４４によってストッパ部４３から離れる方向に付勢されることにより、ストッパ部４３と係合しない解除位置をとる。よって、ラッチ４１の解除位置が初期位置とは別の位置に設定されていても、ラッチ４１がプレート４２に接触した後の一連の動きを通じて、ラッチ４１を解除位置にスムーズに切り替えることができる。また、ストッパ部４３から離脱したラッチ４１は、付勢部材４４の付勢力によって解除側に引かれて、係止爪４７がストッパ部４３の外周面に支持される。よって、ラッチ４１がストッパ部４３から離脱した状態を維持することもできる。
【００４１】
スライド一時停止機構３８は、シート１を第１スライド領域Ｅａから第２スライド領域Ｅｂへ操作するのに伴い、解除位置をとったラッチ４１を、プレート４２の第１案内部５３により案内してプレート４２の上面に上らせることで、第１スライド領域Ｅａから第２スライド領域Ｅｂへのシート操作を許容する。よって、プレート４２に接触してシート１を一時停止させたラッチ４１を、プレート４２の第１案内部５３を通じてプレート４２の上面に上らせるという簡素な構造により、一時停止後のシートスライド操作を継続させることができる。
【００４２】
スライド一時停止機構３８は、シート１が第２スライド領域Ｅｂから第１スライド領域Ｅａに移動されるとき、シート１のスライド操作を一時停止させない。よって、シート１を第２スライド領域Ｅｂから第１スライド領域Ｅａへスライド操作するときは、シート１を一時停止させることなく、そのままスムーズに元のシート位置に戻すことができる。
【００４３】
スライド一時停止機構３８は、シート１を第２スライド領域Ｅｂから第１スライド領域Ｅａへ操作するのに伴い、第１案内部５３からプレート４２の上面に上ったラッチ４１を、プレート４２の第２案内部５４により案内してプレート４２の下に落とすことで、第２スライド領域Ｅｂから第１スライド領域Ｅａへのシート操作を許容する。よって、プレート４２上に乗ったラッチ４１を、プレート４２の第２案内部５４を通じてプレート４２の下に落とすという簡素な構造により、ラッチ４１を元の初期状態に戻すことができる。
【００４４】
なお、実施形態はこれまでに述べた構成に限らず、以下の態様に変更してもよい。
・ロック機構１７は、左右一方のレールに設けられてもよいし、左右両方のレールに設けられてもよい。
【００４５】
・ラッチ４１及びその周辺部品群は、アッパーレール５側であれば、どこに配置されてもよい。
・プレート４２は、ロアレール４側であれば、どこに配置されてもよい。
【００４６】
・シート１のレール機構（ロアレール４及びアッパーレール５）の形状は、実施形態の挙げた例に限らず、種々の形状に変更可能である。
・第１案内部５３や第２案内部５４は、並び配置されることに限らず、離れた箇所に設けられてもよい。また、第１案内部５３や第２案内部５４は、種々の形状に変更可能である。
【００４７】
・ラッチ４１は、回動式に限定されず、例えば直線移動式など、他の動きをとる構造に変更してもよい。
・スライド一時停止機構３８は、前席及び後席の両方の領域を跨ぐレイアウトに適用されることに限定されない。すなわち、第１スライド領域Ｅａが運転席スライド領域に限らず、第２スライド領域Ｅｂが後部座席スライド領域に限定されない。例えば、前席が後席に近づくレイアウトにおいて、後席の搭乗者の足挟み防止として使用してもよい。このように、第１スライド領域Ｅａ及び第２スライド領域Ｅｂは、シートごとに割り振られた領域に限定されず、同一シートのスライド領域において所定範囲ごとに区分された領域としてもよい。
【００４８】
・スライド操作の一時停止後にシート１がスライド操作される過程でラッチ４１が解除されるが、このときの解除に必要な操作は前後操作に限定されない。例えば、左右操作などの種々の操作態様に変更可能である。
【００４９】
・係合部材は、ラッチ４１に限定されず、シート１のスライド操作を一時停止するときに作動できる部材であれば、他に変更可能である。
・対向部材は、板状のプレート４２に限定されず、ラッチ４１と接触可能な部材であればよい。
【００５０】
・スライド一時停止機構３８の構造は、実施形態に挙げた例に限らず、種々の構造に変更可能である。
【符号の説明】
【００５１】
１…シート、４…ロアレール、５…アッパーレール、１７…ロック機構、３３…操作ハンドル、３８…スライド一時停止機構、４１…係合部材の一例であるラッチ、４２…対向部材の一例であるプレート、４３…ストッパ部、４４…付勢部材、５３…第１案内部、５４…第２案内部、Ｐ１…規定位置、Ｅａ…第１スライド領域、Ｅｂ…第２スライド領域、Ｌ１…ラッチの軸。
【図１】
2017226357.tif 000003
【図２】
2017226357.tif 000004
【図３】
2017226357.tif 000005
【図４】
2017226357.tif 000006
【図５】
2017226357.tif 000007
【図６】
2017226357.tif 000008
【図７】
2017226357.tif 000009
【図８】
2017226357.tif 000010
【図９】
2017226357.tif 000011
【図１０】
2017226357.tif 000012
【図１１】
2017226357.tif 000013
【図１２】
2017226357.tif 000014
【図１３】
2017226357.tif 000015
【図１４】
2017226357.tif 000016
【図１５】
2017226357.tif 000017
【図１６】
2017226357.tif 000018